(57)【要約】      （修正有）【課題】外径の異なるロータコアについて同一装置を用いる場合に、各外径のロータコアの誘導加熱を効率よく行なうロータコア加熱装置を提供する。【解決手段】電動機のロータコア１０Ａをロータコアの内径側および外径側の内径側コイル２６および外径側コイル２２、２４により誘導加熱するロータコア加熱装置２０において、外径側コイルは、第１外径側コイル２２と、径方向から見て軸方向にずれた位置に配置されると共に第１外径側コイルよりも小径の第２外径側コイル２４とを有し、内径側コイルは、軸方向に移動可能である。【選択図】図１
2020031006.tif 000002
【特許請求の範囲】
【請求項１】
電動機のロータコアを前記ロータコアの内径側および外径側の内径側コイルおよび外径側コイルにより誘導加熱するロータコア加熱装置であって、
前記外径側コイルは、第１外径側コイルと、径方向から見て軸方向にずれた位置に配置されると共に前記第１外径側コイルよりも小径の第２外径側コイルとを有し、
前記内径側コイルは、軸方向に移動可能である、
ロータコア加熱装置。
【請求項２】
電動機のロータコアを前記ロータコアの内径側および外径側の内径側コイルおよび外径側コイルにより誘導加熱するロータコア加熱装置であって、
前記外径側コイルは、第１外径側コイルと、径方向から見て軸方向にずれた位置に配置されると共に前記第１外径側コイルよりも小径の第２外径側コイルとを有し、
前記内径側コイルは、前記第１外径側コイルおよび前記第２外径側コイルと径方向において対向するように延在する、
ロータコア加熱装置。
【発明の詳細な説明】
【技術分野】
【０００１】
本発明は、ロータコア加熱装置に関する。
【背景技術】
【０００２】
従来、この種のロータコア加熱装置としては、中空円柱形状のロータコアの内径側および外径側に配置された内径側コイルおよび外径側コイルによりロータコアを誘導加熱（高周波加熱）するロータコア加熱装置において、ロータコアと略同一の直径を有し且つロータコアの軸方向における両側端面に密着して配置された一対の磁束遮蔽治具を備えるものが提案されている（例えば、特許文献１参照）。このロータコア加熱装置では、一対の磁束遮蔽治具を備えることにより、ロータコアと磁束遮蔽治具との間に磁束を侵入させずにロータコアの加熱を行えるようにしている。
【先行技術文献】
【特許文献】
【０００３】
【特許文献１】特開２０１７−５０１６９号公報
【発明の概要】
【発明が解決しようとする課題】
【０００４】
上述のロータコア加熱装置では、外径の異なるロータコアについて同一装置を用いる場合、外径の小さいロータコアについては、ロータコアと外径側コイルとの距離が長くなり、ロータコアに作用する磁界が弱くなり、誘導加熱の効率が低下する。
【０００５】
本発明のロータコア加熱装置は、外径の異なるロータコアについて同一装置を用いる場合に、各外径のロータコアの誘導加熱を効率よく行なうことを主目的とする。
【課題を解決するための手段】
【０００６】
本発明のロータコア加熱装置は、上述の主目的を達成するために以下の手段を採った。
【０００７】
本発明の第１のロータコア加熱装置は、
電動機のロータコアを前記ロータコアの内径側および外径側の内径側コイルおよび外径側コイルにより誘導加熱するロータコア加熱装置であって、
前記外径側コイルは、第１外径側コイルと、径方向から見て軸方向にずれた位置に配置されると共に前記第１外径側コイルよりも小径の第２外径側コイルとを有し、
前記内径側コイルは、軸方向に移動可能である、
ことを要旨とする。
【０００８】
この本発明の第１のロータコア加熱装置では、外径側コイルは、第１外径側コイルと、径方向から見て軸方向にずれた位置に配置されると共に第１外径側コイルよりも小径の第２外径側コイルとを有し、内径側コイルは、軸方向に移動可能である。これにより、外径の大きいロータコアについては第１外径側コイルと内径側コイルとにより誘導加熱し、外径の小さいロータコアについては第２外径側コイルと内径側コイルとにより誘導加熱することができる。この結果、外径の異なるロータコアについて同一装置を用いる場合に、各外径のロータコアの誘導加熱を効率よく行なうことができる。
【０００９】
本発明の第１のロータコア加熱装置において、前記第１外径側コイルおよび前記第２外径側コイルは、選択的に通電可能であるものとしてもよい。こうすれば、外径の大きいロータコアおよび外径の小さいロータコアのうちの何れを誘導加熱するかに拘わらずに第１外径側コイルおよび第２外径側コイルに通電するものに比して、電力損失を低減することができる。
【００１０】
本発明の第１のロータコア加熱装置において、前記ロータコアの一端面に当接する第１当接部を有する第１遮蔽部、および、前記ロータコアの他端面に当接する第２当接部を有する第２遮蔽部を更に備えるものとしてもよい。
【００１１】
この場合、第１遮蔽部および第２遮蔽部の外径は、第２外径側コイルの外径よりも小さいものとしてもよい。こうすれば、外径の異なるロータコアについて、同一の第１遮蔽部および第２遮蔽部を用いることができる。
【００１２】
また、この場合、前記第１遮蔽部が前記第１外径側コイルまたは前記第２外径側コイルの端部と径方向から見て軸方向に重なるように前記第１ロータコアまたは前記第２ロータコアを配置するものとしてもよい。こうすれば、第１遮蔽部全体が第１外径側コイルまたは第２外径側コイルの中央部と径方向において対向するものに比して、第１遮蔽部の温度上昇を抑制することができる。
【００１３】
本発明の第２のロータコア加熱装置は、
電動機のロータコアを前記ロータコアの内径側および外径側の内径側コイルおよび外径側コイルにより誘導加熱するロータコア加熱装置であって、
前記外径側コイルは、第１外径側コイルと、径方向から見て軸方向にずれた位置に配置されると共に前記第１外径側コイルよりも小径の第２外径側コイルとを有し、
前記内径側コイルは、前記第１外径側コイルおよび前記第２外径側コイルと径方向において対向するように延在する、
ことを要旨とする。
【００１４】
この本発明の第２のロータコア加熱装置では、外径側コイルは、第１外径側コイルと、径方向から見て軸方向にずれた位置に配置されると共に第１外径側コイルよりも小径の第２外径側コイルとを有し、内径側コイルは、第１外径側コイルおよび第２外径側コイルと径方向において対向するように延在する。これにより、外径の比較的大きいロータコアについては第１外径側コイルと内径側コイルとにより誘導加熱し、外径の比較的小さいロータコアについては第２外径側コイルと内径側コイルとにより誘導加熱することができる。この結果、外径の異なるロータコアについて同一装置を用いる場合に、各外径のロータコアの誘導加熱を同時に且つ効率よく行なうことができる。
【００１５】
第２のロータコア加熱装置において、第１ロータコアの一端面に当接する第１当接部を有する第１遮蔽部、前記第１ロータコアの他端面に当接する第２当接部および前記第１ロータコアよりも外径の小さい第２ロータコアの一端面に当接ずる第３当接部を有する第２遮蔽部、前記第２ロータコアの他端面に当接する第４当接部を有する第３遮蔽部を更に備えるものとしてもよい。
【００１６】
この場合、前記第２遮蔽部が前記第１外径側コイルおよび／または前記第２外径側コイルの端部と径方向から見て軸方向に重なるように前記第１ロータコアおよび前記第２ロータコアを配置するものとしてもよい。こうすれば、第２遮蔽部全体が第１外径側コイルまたは第２外径側コイルの中央部と径方向において対向するものに比して、第２遮蔽部の温度上昇を抑制することができる。
【００１７】
本発明の第１または第２のロータコア加熱装置において、前記内径側コイルおよび前記外径側コイルは、異なる電源により通電されるものとしてもよい。こうすれば、各電源の設計により自由度を持たせることができ、ロータコアの誘導加熱の効率をより向上させることができる。
【図面の簡単な説明】
【００１８】
【図１】本発明の第１実施例としてのロータコア加熱装置２０の構成の概略を示す構成図である。
【図２】本発明の第１実施例としてのロータコア加熱装置２０の構成の概略を示す構成図である。
【図３】本発明の第２実施例としてのロータコア加熱装置１２０の構成の概略を示す構成図である。
【発明を実施するための形態】
【００１９】
次に、本発明を実施するための形態を実施例を用いて説明する。
【実施例１】
【００２０】
図１および図２は、本発明の第１実施例としてのロータコア加熱装置２０の構成の概略を示す構成図である。図１は、外径の大きいロータコア１０Ａを加熱する際のロータコア加熱装置２０を示し、図２は、外径の小さいロータコア１０Ｂを加熱する際のロータコア加熱装置２０を示す。なお、第１実施例では、ロータコア加熱装置２０は、図１，図２のように設置されるものとした。即ち、以下の説明において、「上」および「下」は、図１，図２の「上」および「下」を意味する。
【００２１】
ロータコア１０Ａ，１０Ｂは、外径の異なる点を除いて略同一であり、それぞれ、複数の電磁鋼板が積層されて中空円柱状に構成される。ロータコア１０Ａ，１０Ｂは、それぞれ、周方向に間隔をおいて形成される図示しない複数の磁石孔に複数の永久磁石が埋め込まれる（挿入される）と共に図示しないシャフトに固定されることにより、電動機のロータを構成する。
【００２２】
第１実施例のロータコア加熱装置２０は、ロータコア１０Ａまたはロータコア１０Ｂをシャフトに温間嵌めにより固定するためにロータコア１０Ａまたはロータコア１０Ｂを誘導加熱する装置として構成され、図１および図２に示すように、外径側コイル２２，２４と、内径側コイル２６と、遮蔽部３０，３２と、電源４０，４４と、スイッチ４２，４６とを備える。
【００２３】
外径側コイル２２は、導線により螺旋状に形成され、ロータコア１０Ａの外径よりも若干大きい径およびロータコア１０Ａと同程度またはそれよりも長い軸長を有する。この外径側コイル２２は、軸心が上下方向に延びるように配置される。
【００２４】
外径側コイル２４は、外径側コイル２２とは別の導線により（外径側コイル２２とは電気的に独立して）螺旋状に形成され、ロータコア１０Ｂの外径よりも若干大きく且つ外径側コイル２２よりも小さい径およびロータコア１０Ｂと同程度またはそれよりも長い軸長を有する。この外径側コイル２４は、外径側コイル２２とは径方向から見て軸方向にずれた位置に（具体的には、外径側コイル２２よりも下側で且つ外径側コイル２２と同軸で）、軸心が上下方向に延びるように配置される。
【００２５】
内径側コイル２６は、導線により螺旋状に形成され、ロータコア１０Ａ，１０Ｂの内径よりも若干小さい径およびロータコア１０Ａ，１０Ｂのうち長い側（第１実施例では、ロータコア１０Ａ）と同程度またはそれよりも長い軸長を有する。この内径側コイル２６は、外径側コイル２２，２４と同軸で且つ軸心が上下方向に延びるように遮蔽部３０に載置または固定される。
【００２６】
遮蔽部３０は、例えば銅などによりロータコア１０Ａ，１０Ｂおよび内径側コイル２６よりも小さい内径を有すると共に外径側コイル２４よりも若干小さい外径を有する環状（円板状や円柱状）に形成され、上端面に周方向に間隔をおいて複数（例えば、３つや４つなど）の突起３０ａを有すると共に、内部に図示しない冷却装置からの冷却水が流通可能な流路３０ｂを有する。この遮蔽部３０は、外径側コイル２２，２４および内径側コイル２６と同軸となるように配置され、図示しない移動装置により内径側コイル２６と一体に軸方向（上下方向）に移動する。ロータコア１０Ａまたはロータコア１０Ｂは、遮蔽部３０と同軸となるように且つ遮蔽部３０の複数の突起３０ａにロータコア１０Ａまたはロータコア１０Ｂの下端面が当接するように遮蔽部３０に載置される。
【００２７】
遮蔽部３２は、例えば銅などによりロータコア１０Ａ，１０Ｂと同程度の内径を有すると共に外径側コイル２４よりも若干小さい外径を有する環状（円板状や円柱状）に形成され、下端面に周方向に間隔をおいて複数（例えば、３つや４つなど）の突起３２ａを有する。ロータコア１０Ａまたはロータコア１０Ｂは、ロータコア１０Ａまたはロータコア１０Ｂと同軸となるように且つ遮蔽部３２の複数の突起３２ａがロータコア１０Ａまたはロータコア１０Ｂの上端面に当接するようにロータコア１０Ａまたはロータコア１０Ｂに載置される。
【００２８】
電源４０，４４は、交流電源として構成されている。スイッチ４２は、電源４０と外径側コイル２２とが接続される状態、電源４０と外径側コイル２４とが接続される状態、電源４０と外径側コイル２２，２４とが遮断される状態を切替可能に構成されている。スイッチ４６は、電源４４と内径側コイル２６との接続および遮断を切替可能に構成されている。
【００２９】
こうして構成された第１実施例のロータコア加熱装置２０では、ロータコア１０Ａの誘導加熱は、例えば、以下のように行なわれる。最初に、比較的高い初期位置（例えば、外径側コイル２２よりも高い位置）に配置される遮蔽部３０にロータコア１０Ａおよび遮蔽部３２が同軸となるようにこの順に載置される。続いて、遮蔽部３０、内径側コイル２６、ロータコア１０Ａ、遮蔽部３２を、一体に、遮蔽部３２が外径側コイル２２の上端部と径方向から見て軸方向に重なるように下側に移動させる。このとき、ロータコア１０Ａが径方向における外径側コイル２２と内径側コイル２６との間に位置する（図１参照）。そして、電源４０と外径側コイル２２とが接続されるようにスイッチ４２を制御すると共にスイッチ４６をオンにして（電源４４と内径側コイル２６とを接続して）外径側コイル２２および内径側コイル２６に交流電流を通電させ、それらの交流電流により生じる磁界により、ロータコア１０Ａを誘導加熱する。なお、このとき、遮蔽部３０は、冷却水により冷却される。
【００３０】
また、ロータコア１０Ｂの誘導加熱は、例えば、以下のように行なわれる。最初に、比較的高い初期位置（例えば、外径側コイル２２よりも高い位置）に配置される遮蔽部３０にロータコア１０Ｂおよび遮蔽部３２が同軸となるようにこの順に載置される。続いて、遮蔽部３０、内径側コイル２６、ロータコア１０Ｂ、遮蔽部３２を、一体に、遮蔽部３２が外径側コイル２４の上端部と径方向から見て軸方向に重なるように下側に移動させる。このとき、ロータコア１０Ｂが径方向における外径側コイル２４と内径側コイル２６との間に位置する（図２参照）。そして、電源４０と外径側コイル２４とが接続されるようにスイッチ４２を制御すると共にスイッチ４６をオンにして（電源４４と内径側コイル２６との接続状態にして）外径側コイル２４および内径側コイル２６に交流電流を通電させ、それらの交流電流により生じる磁界により、ロータコア１０Ｂを誘導加熱する。なお、このとき、遮蔽部３０は、冷却水により冷却される。
【００３１】
このようにしてロータコア１０Ａまたはロータコア１０Ｂを誘導加熱するから、外径側コイル２４を備えないもの即ちロータコア１０Ａ，１０Ｂの何れについても内径側コイル２６と外径側コイル２２とにより誘導加熱するものに比して、ロータコア１０Ａ，１０Ｂの何れを誘導加熱する際でも、ロータコア１０Ａ，１０Ｂと外径側コイル２２，２４との距離を短くすることができ、ロータコア１０Ａまたはロータコア１０Ｂの誘導加熱を効率よく行なうことができる。即ち、外径の異なるロータコア１０Ａ，１０Ｂについて同一装置を用いる場合に、ロータコア１０Ａ，１０Ｂの誘導加熱を効率よく行なうことができるのである。
【００３２】
また、ロータコア１０Ａを誘導加熱する際には、外径側コイル２２，２４のうち外径側コイル２２にだけ通電し、ロータコア１０Ｂを誘導加熱する際には、外径側コイル２２，２４のうち外径側コイル２４にだけ通電するから、外径側コイル２２，２４を１本の導線により形成して外径側コイル２２，２４の両方に通電するものに比して、電力損失を低減することができる。
【００３３】
さらに、遮蔽部３０，３２の外径を外径側コイル２４よりも小さくすることにより、ロータコア１０Ａを誘導加熱する際とロータコア１０Ｂを誘導加熱する際とで同一の遮蔽部３０，３２を用いることができる。
【００３４】
加えて、ロータコア１０Ａまたはロータコア１０Ｂを誘導加熱する際に、遮蔽部３２が外径側コイル２２または外径側コイル２４の上端部と径方向から見て軸方向に重なるから、遮蔽部３２全体が外径側コイル２２または外径側コイル２４の中央部と径方向において対向するものに比して、遮蔽部３２の温度上昇を抑制することができる。このため、遮蔽部３２を冷却するための冷却装置（例えば、遮蔽部３０を冷却する冷却装置と同様の装置）を省略することができる。
【００３５】
また、外径側コイル２２，２４と内径側コイル２６とは、異なる電源４０，４４により通電されるから、同一の電源により通電されるものに比して、電源４０，４４の設計に自由度を持たせることができ、ロータコア１０Ａ，１０Ｂの誘導加熱の効率をより向上させることができる。
【００３６】
以上説明した第１実施例のロータコア加熱装置２０では、ロータコア１０Ａの外径よりも大きい径を有する外径側コイル２２と、外径側コイル２２とは径方向から見て軸方向にずれた位置に配置されると共にロータコア１０Ｂの外径よりも大きく且つ外径側コイル２２よりも小さい径を有する外径側コイル２４と、ロータコア１０Ａ，１０Ｂの内径よりも小さい径を有すると共に軸方向に移動可能な内径側コイル２６とを備える。これにより、外径の異なるロータコア１０Ａ，１０Ｂについて同一装置を用いる場合に、ロータコア１０Ａ，１０Ｂの誘導加熱を効率よく行なうことができる。
【００３７】
第１実施例のロータコア加熱装置２０では、外径側コイル２２，２４は、２本の導線によりそれぞれ形成されるものとしたが、１本の導線により形成されるものとしてもよい。この場合、ロータコア１０Ａまたはロータコア１０Ｂを誘導加熱する際に、外径側コイル２２，２４の両方に通電することになる。
【００３８】
第１実施例のロータコア加熱装置２０では、ロータコア１０Ａまたはロータコア１０Ｂを誘導加熱する際に、遮蔽部３２が外径側コイル２２または外径側コイル２４の上端部と径方向から見て軸方向に重なるものとしたが、遮蔽部３２が外径側コイル２２または外径側コイル２４の中央部と径方向において対向するものとしてもよい。この場合、遮蔽部３２を冷却するための冷却装置を設けるのが好ましい。
【００３９】
第１実施例のロータコア加熱装置２０では、外径側コイル２２，２４および内径側コイル２６は、異なる電源４０，４４により通電されるものとしたが、同一の電源により通電されるものとしてもよい。
【００４０】
第１実施例のロータコア加熱装置２０では、遮蔽部３０，３２は、それぞれ複数の突起３０ａ，３２ａを有するものとしたが、それぞれ複数の突起３０ａ，３２ａを有しないものとしてもよい。この場合、遮蔽部３０の上端面全体がロータコア１０Ａまたはロータコア１０Ｂの下端面全体に当接すると共に遮蔽部３２の下端面全体がロータコア１０Ａまたはロータコア１０Ｂの上端面全体に当接することになる。
【００４１】
第１実施例のロータコア加熱装置２０では、内径側コイル２６および遮蔽部３２は、一体に上下方向に移動するものとしたが、それぞれ独立して上下方向に移動するものとしてもよい。
【実施例２】
【００４２】
図３は、本発明の第２実施例のロータコア加熱装置１２０の構成の概略を示す構成図である。なお、第２実施例では、ロータコア加熱装置１２０は、図３のように設置されるものとした。即ち、以下の説明において、「上」および「下」は、図３の「上」および「下」を意味する。また、第２実施例では、第１実施例と同様のロータコア１０Ａ，１０Ｂが用いられるものとした。
【００４３】
第２実施例のロータコア加熱装置１２０は、図示するように、外径側コイル１２２，１２４と、内径側コイル１２６と、遮蔽部１３０，１３２，１３４と、電源１４０，１４４と、スイッチ１４２，１４６とを備える。
【００４４】
外径側コイル１２２，１２４は、１本の導線により螺旋状に形成される（外径側コイル１２２，１２４が電気的に直列となる）点を除いて、外径側コイル２２，２４と略同一である。外径側コイル１２２と外径側コイル１２４との軸方向における間隔は、遮蔽部１３４の厚みと同程度やそれよりも若干狭い程度に設計される。
【００４５】
内径側コイル１２６は、導線により螺旋状に形成され、ロータコア１０Ａ，１０Ｂの内径よりも若干小さい径およびロータコア１０Ａ，１０Ｂの軸長の和よりも長い軸長を有する。この内径側コイル１２６は、外径側コイル１２２，１２４と同軸で且つ軸心が上下方向に延びるように遮蔽部１３０に載置または固定される。このとき、内径側コイル１２６は、外径側コイル１２２全体および外径側コイル１２４の一部（略上半分）と径方向において対向するように延在する。
【００４６】
遮蔽部１３０，１３２は、それぞれ、遮蔽部３０，３２と略同一形状に形成され、遮蔽部１３０は、複数の突起１３０ａおよび流路１３０ｂを有し、遮蔽部１３２は、複数の突起１３２ａを有する。
【００４７】
遮蔽部１３４は、例えば銅などによりロータコア１０Ａ，１０Ｂと同程度の内径を有すると共に外径側コイル１２４よりも若干小さい外径を有する環状（円板状や円柱状）に形成され、下端面に周方向に間隔をおいて複数（例えば、３つや４つなど）の突起１３４ａを有すると共に上端面に周方向に間隔をおいて複数（例えば、３つや４つなど）の突起１３４ｂを有する。
【００４８】
電源１４０，１４４は、交流電源として構成されている。スイッチ１４２は、電源１４０と外径側コイル１２２，１２４との接続および遮断を切替可能に構成されている。スイッチ１４６は、電源１４４と内径側コイル１２６との接続および遮断を切替可能に構成されている。
【００４９】
こうして構成された第２実施例のロータコア加熱装置１２０では、ロータコア１０Ａ，１０Ｂの同時の誘導加熱は、例えば、以下のように行なわれる。最初に、比較的高い初期位置（例えば、外径側コイル１２２よりも高い位置）に配置される遮蔽部１３０にロータコア１０Ｂ、遮蔽部１３４、ロータコア１０Ａ、遮蔽部１３２が同軸となるようにこの順に載置される。続いて、遮蔽部１３０、内径側コイル１２６、ロータコア１０Ｂ、遮蔽部１３４、ロータコア１０Ａ、遮蔽部１３２を、一体に、遮蔽部１３４が外径側コイル１２２，１２４の軸方向における間に位置するまたは外径側コイル１２２の下端部や外径側コイル１２４の上端部と径方向において対向するように下側に移動させる。このとき、ロータコア１０Ａが径方向における外径側コイル１２２と内径側コイル１２６との間に位置すると共にロータコア１０Ｂが径方向における外径側コイル１２４と内径側コイル１２６との間に位置する（図３参照）。そして、スイッチ１４２をオンにする（電源１４０と外径側コイル１２２，１２４とを接続する）と共にスイッチ１４６をオンにして（電源１４４と内径側コイル１２６とを接続して）外径側コイル１２２，１２４および内径側コイル１２６に交流電流を通電させ、それらの交流電流により生じる磁界により、ロータコア１０Ａ，１０Ｂを同時に誘導加熱する。なお、このとき、遮蔽部１３０は、冷却水により冷却される。
【００５０】
このようにしてロータコア１０Ａ，１０Ｂを同時に誘導加熱するから、外径側コイル１２４を備えないもの即ちロータコア１０Ａ，１０Ｂの何れについても内径側コイル１２６と外径側コイル１２２とにより誘導加熱するものに比して、ロータコア１０Ｂと外径側コイル１２４との距離を短くすることができ、ロータコア１０Ａ，１０Ｂの誘導加熱を同時に且つ効率よく行なうことができる。
【００５１】
また、ロータコア１０Ａ，１０Ｂを誘導加熱する際に、遮蔽部１３４が外径側コイル１２２の下端部や外径側コイル１２４の上端部と径方向において対向するから、遮蔽部１３４が外径側コイル１２２，１２４のうちの何れかの中央部と径方向において対向するものに比して、遮蔽部１３４の温度上昇を抑制することができる。このため、遮蔽部１３４を冷却するための冷却装置（例えば、遮蔽部１３０を冷却する冷却装置と同様の装置）を省略することができる。しかも、このときに遮蔽部１３２が外径側コイル１２２の軸方向における上端部と径方向において対向するように外径側コイル１２２の軸長を設計すれば、遮蔽部１３２の温度上昇も抑制することができる。
【００５２】
以上説明した第２実施例のロータコア加熱装置１２０では、ロータコア１０Ａの外径よりも大きい径を有する外径側コイル１２２と、外径側コイル１２２とは径方向から見て軸方向にずれた位置に配置されると共にロータコア１０Ｂの外径よりも大きく且つ外径側コイル１２２よりも小さい径を有する外径側コイル１２４と、ロータコア１０Ａ，１０Ｂの内径よりも小さい径を有すると共に外径側コイル１２２，１２４と径方向において対向する内径側コイル１２６とを備える。これにより、外径の異なるロータコア１０Ａ，１０Ｂについて同一装置を用いる場合にロータコア１０Ａ，１０Ｂの誘導加熱を同時に且つ効率よく行なうことができる。
【００５３】
第２実施例のロータコア加熱装置１２０では、外径側コイル１２２，１２４は、１本の導線により形成されるものとしたが、互いに異なる導線により形成されるものとしてもよい。
【００５４】
第２実施例のロータコア加熱装置１２０では、外径側コイル１２２，１２４および内径側コイル１２６は、異なる電源１４０，１４４により通電されるものとしたが、同一の電源により通電されるものとしてもよい。
【００５５】
第２実施例のロータコア加熱装置１２０では、遮蔽部１３０と遮蔽部１３２と遮蔽部１３４とは、それぞれ、複数の突起１３０ａと複数の突起１３２ａと複数の突起１３４ａ，１３４ｂとを有するものとしたが、それぞれ、複数の突起１３０ａ，１３２ａ，１３４ａ，１３４ｂを有しないものとしてもよい。この場合、遮蔽部１３０の上端面全体がロータコア１０Ｂの下端面全体に当接し、遮蔽部１３４の下端面全体がロータコア１０Ｂの上端面全体に当接し、遮蔽部１３４の上端面全体がロータコア１０Ａの下端面全体に当接し、遮蔽部１３２の下端面全体がロータコア１０Ａの上端面全体に当接することになる。
【００５６】
実施例の主要な要素と課題を解決するための手段の欄に記載した発明の主要な要素との対応関係について説明する。第１実施例では、外径側コイル２２が「第１外径側コイル」に相当し、外径側コイル２４が「第２外径側コイル」に相当し、内径側コイル２６が「内径側コイル」に相当する。第２実施例では、外径側コイル１２２が「第１外径側コイル」に相当し、外径側コイル１２４が「第２外径側コイル」に相当し、内径側コイル１２６が「内径側コイル」に相当する。
【００５７】
なお、実施例の主要な要素と課題を解決するための手段の欄に記載した発明の主要な要素との対応関係は、実施例が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、実施例は課題を解決するための手段の欄に記載した発明の具体的な一例に過ぎないものである。
【００５８】
以上、本発明を実施するための形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００５９】
本発明は、ロータコア加熱装置の製造産業などに利用可能である。
【符号の説明】
【００６０】
１０Ａ，１０Ｂ  ロータコア、２０，１２０  ロータコア加熱装置、２２，２４，１２２，１２４  外径側コイル、２６，１２６  内径側コイル、３０，３２，１３０，１３２，１３４  遮蔽部、３０ａ，３２ａ，１３０ａ，１３２ａ，１３４ａ，１３４ｂ  突起、３０ｂ，１３０ｂ  流路、４０，４４，１４０，１４４  電源、４２，４６，１４２，１４６  スイッチ。
【図１】
2020031006.tif 000003
【図２】
2020031006.tif 000004
【図３】
2020031006.tif 000005